(57)【要約】【課題】一般的に、加齢とともに上眼瞼挙筋が衰えると、瞼が下がってくる。また、ほうれい線が目立つようになる。この対策として、例えば、特開２０１２−１４５７号公報に示されたような、種々の技術が開示されているが、これらは、高価な物質を用いるものである。また、皮膚の表面に塗りその効果を得るものであり、その効果にも限界があることも危惧される。【解決手段】上記の課題を解決するための本発明は、ヘマタイトの磁気で、刺激を与えて、上眼瞼挙筋を鍛えて、又瞼を引き上げる筋力アップを目指し、また、耳近くのツボと筋肉をヘマタイトの磁気で刺激して、顔の引き上げる筋力アップと小顔効果を達成する磁気ヘマタイトを使った瞼と顔の美容方法およびそれに使用する美容器具（リフトアップバンド）である。【選択図】    図５
2017205262.tif 000002
【特許請求の範囲】
【請求項１】
バンドまたはベルトの収縮性を利用して磁性体を適度な力で顔に押し付け、それによって顔の筋肉を若返らせる顔の美容方法。
【請求項２】
筋肉を若返らせることにより、目のたるみを正すこと、小顔にすること、ほうれい線を薄くすることのいずれか一つ、または、二つ以上である請求項１に記載の顔の美容方法。
【請求項３】
請求項１または、請求項２に記載の美容方法に用いる美容器具であり、前記バンドまたはベルトに前記磁性体を配置した顔の美容器具。
【請求項４】
前記バンドまたはベルトを袋状に形つくり、その袋状の内部に前記磁性体を配置した請求項３に記載の顔の美容器具（リフトアップバンド）。
【請求項５】
前記バンドまたはベルトを袋状に形つくり、その袋状の内部に前記磁性体を配置し、しかも袋状のバンドまたはベルトの一面に穴をあけることにより、磁性体を露出可能とした請求項４に記載の顔の美容器具（リフトアップバンド）。
【請求項６】
前記磁性体の磁気で、刺激を与えて、上眼瞼挙筋を鍛えて、又瞼を引き上げる筋力アップを目指し、また、耳近くのツボと筋肉をヘマタイトの磁気で刺激して、顔の引き上げる筋力アップと小顔効果を達成する磁気ヘマタイトを使った瞼と顔の美容方法に用いる請求項3〜請求項５のいずれかに記載の顔の美容器具（リフトアップバンド）。
【請求項７】
前記磁性体が球状のヘマタイトである請求項3〜請求項6のいずれかに記載の顔の美容器具（リフトアップバンド）。
【発明の詳細な説明】
【技術分野】
【０００１】
本発明は、顔の美容の方法、それに用いるに関する美容方法・器具（リフトアップバンド）に関する。
【背景技術】
【０００２】
一般的には、加齢とともに上眼瞼挙筋が衰えるてくると、瞼が下がってくる。また、ほうれい線が目だつようになる。このような老化への対策として、例えば、特開２０１２−１４５７号公報に示されたような、種々の技術が開示されている。
【先行技術文献】
【特許文献】
【０００３】
【特許文献１】特開２０１２−１４５７号公報
【発明の概要】
【発明が解決しようとする課題】
【０００４】
しかしながら、上記の技術は、高価な物質を用いるものである。また、皮膚の表面に塗りその効果を得るものであり、その効果にも限界があることが危惧される。
【課題を解決するための手段】
【０００５】
上記の課題を解決するための本発明は、ヘマタイトの磁気で、刺激を与えて、上眼瞼挙筋を鍛えて、又瞼を引き上げる筋力アップを目指し、また、耳近くのツボと筋肉をヘマタイトの磁気で刺激して、顔の引き上げる筋力アップと小顔効果を達成する磁気ヘマタイトを使った瞼と顔の美容方法、および、それに使用する美容器具（リフトアップバンド）を完成させた。なお、ヘマタイトは通常は磁気をもっていないが、本発明においては磁気を持ったヘマタイトを用いている。磁気(磁性)をもっている場合は、他の素材の玉を用いても良いことはもちろんである。また、形状は球体に限る必要はなく、皮膚を傷つけないもの（かどが丸い）であれば、どのような形状のものでも良い。
【０００６】
第１の発明は、バンドまたはベルトの収縮性を利用して磁性体を適度な力で顔に押し付け、それによって顔の筋肉を若返らせる顔の美容方法である。
第2の発明は、第1の発明において、筋肉を若返らせることにより、目のたるみを正すこと、小顔にすること、ほうれい線を薄くすることのいずれか一つ、または、二つ以上である顔の美容方法である。
第3の発明は、第1または第２の発明において用いる美容器具であり、前記バンドまたはベルトに前記磁性体を配置した顔の美容器具（リフトアップバンド）である。
第4の発明は、第3の発明において、前記バンドまたはベルトを袋状に形つくり、その袋状の内部に前記磁性体を配置した顔の美容器具（リフトアップバンド）である。
第5の発明は、第4の発明において、前記袋状のバンドまたはベルトの一面に穴をあけることにより、前記磁性体を露出可能とした美容器具（リフトアップバンド）である。
第6の発明は、第３〜第5のいずれかの発明において、前記磁性体の磁気で、刺激を与えて、上眼瞼挙筋を鍛えて、又瞼を引き上げる筋力アップを目指し、また、耳近くのツボと筋肉をヘマタイトの磁気で刺激して、顔の引き上げる筋力アップと小顔効果を達成する前記磁性体を使った瞼と顔の美容方法に用いる顔の美容器具（リフトアップバンド）である。
第7の発明は、第３〜第６のいずれかの発明において、前記磁性体が球状のヘマタイトである顔の美容器具（リフトアップバンド）である。
【発明の効果】
【０００７】
ヘマタイトの磁気で上眼瞼挙筋を鍛えて、瞼を引き上げる筋力アップが可能となる。また、耳近くのツボと筋肉をヘマタイトの磁気で刺激することにより、顔を引き上げる筋力のアップと小顔効果を達成できる。
【図面の簡単な説明】
【０００８】
【図１】瞼用のリフトアップバンド
【図２】瞼用の他のリフトアップバンド
【図３】顔用のリフトアップバンド
【図４】顔用の他のリフトアップバンド
【図５】顔用の他のリフトアップバンド（耳の下用の磁気玉を配したもの）
【図６】瞼用リフトアップバンドと顔用のリフトアップバンドを付けた図（正面から見た場合）
【図７】瞼用リフトアップバンドと顔用のリフトアップバンドを付けた図（後側から見た場合）
【図８】瞼用のリフトアップバンドの概略図
【図９】瞼用の他のリフトアップバンドの概略図であるが、バンドに穴を開けており、磁気球（ヘマタイト）が表面に見える状態である。
【図１０】顔用のリフトアップバンド概略図
【発明を実施するための形態】
【０００９】
一般的に、加齢とともに、上眼瞼挙筋が衰えると、瞼が下がってくる。これに対して、ヘマタイトの磁気で刺激を与えて、上眼瞼挙筋を鍛えて、又瞼を引き上げる筋力アップを図る。また、耳近くのツボと筋肉に、ヘマタイトの磁気で、刺激して、顔の引き上げる筋力アップと小顔効果を得る。
【００１０】
前頭筋「眉上から頭頂部につながっている筋肉」を鍛えると、額の横ジワの解消に、効果的である。皺眉筋「眉間を動かす筋肉」を鍛えると眉間の小ジワを予防できる。側頭筋「耳の前から後ろの部分の筋肉」を鍛えることは、顔全体のリフトアップに深く関係する。眼輪筋「目の周りをぐるっと囲む筋肉」を鍛えると、目のたるみとシワに効果的である。大頬骨筋と小頬骨筋「唇の両端から目尻にかけての筋肉」は、口輪筋と共に頬のタルミを支える筋肉である。オトガイ筋「顎の前面の筋肉」は、二重顎の解消やたるみの予防に関係している。
【００１１】
咬筋「頬骨から顎の外側にかけての筋肉」は、ものを噛む時の筋肉である。
輪筋「唇の周りにあって口元のタルミやほうれい線に関係する筋肉」である。
胸鎖乳突筋「首筋に走る筋肉です、首や顔のたるみに深く関係している筋肉」である。
額ニ腹筋「耳と下顎の下部をつなぐ筋肉」は、顎のラインに深く関わりがある。本発明の磁気ヘマタイトを使った瞼と顔のリフトアップバンドを用いることにより、以上に述べた筋肉は、鍛えることができ、優れた若返り効果を持つ。
【００１２】
瞼の上の固定する美用器具（瞼用リフトアップバンド）１を、図１に示す。布製の鉢巻き状の装着部材（ベルトまたはバンド）に磁気玉４を取り付けたものである。磁気玉４には、孔があけられており、糸により装着部材（ベルトまたはバンド）に固定している。この図は皮膚に当たる側を示している。磁気玉４の大きさは、直径８ｍｍである。磁気玉は左右各３個であるが、３〜５個が適当である。
【００１３】
図１の例では、磁気玉４は外部につけているが、袋状の装着部材（ベルト、バンド）の中に入れてもよい。装着部材（ベルトまたはバンド）の両端には頭部に固定するための面ファスナー３をつけている。
【００１４】
図２も瞼用リフトアップバンド１であり、磁気玉４を装着部材（ベルトまたはバンド）の中にいれている場合で、磁気玉４が皮膚に直接あたるように、穴５をあけた例である。
【００１５】
図３は、耳近くのツボと筋肉を磁気玉４（ヘマタイト）の磁気で刺激して、顔の引き上げる筋力アップと小顔効果を達成する磁気玉４（磁気ヘマタイト）を使った顔のリフトアップバンド（頬用リフトアップバンド）２である。瞼用リフトアップバンドと同じ磁気玉4を使用している。この図の場合は、片側８個であるが、7〜１０個が適当である。
【００１６】
図４も、耳近くのツボと筋肉を磁気玉４の磁気で刺激して、顔の引き上げる筋力アップと小顔効果を達成する磁気玉４を使った顔用リフトアップバンド2である。図２と同様に、磁気玉4を装着部材（ベルトまたはバンド）の中にいれている場合で、磁気玉4が皮膚に直接あたるように、穴5をあけた例である。
【００１７】
図５は、顔のリフトアップバンド２において、図４に示したものに対して、さらに左右に３個の磁気玉４を追加したものである。この追加した磁気玉４は装着した場合に耳の下に位置し、リフトアップに有効に働く。この場合の個数は2〜4個が適当である。これらの磁気玉４の並んでいる方向は、図４に示した8個の磁気玉４の並んだ方向とほぼ直角である。
【００１８】
図６は、本発明の顔用リフトアップバンド２と、瞼用リフトアップバンド１を付けた場合の外観である。顔用リフトアップバンド2の装着方法は、先ずはクロスしている紐の方を、後頭部にあたるように頭から被るようにして、次に磁気玉４の孔５がある方を肌側につけ左右共に、こめかみからヘムラインにそって、耳下から顎下を通して装着させる。ついで、面ファスナー３の部分を、頭頂部で付ける。この時には、きつすぎないように留める。
【００１９】
もう一本バンド（瞼用リフトアップバンド）１は磁気玉４を眉の上に左右共に、付けて後頭部で面ファスナー３を用いて落ちない程度留める。装着がきちんと出来ると、磁気の力で顔がピクピクとする感じがする。感じない方もあるが、顔全体がツボや筋肉に刺激を与えて、軽い運動のような働きがおこり、小顔効果やリフトアップ効果や目をパッチリさせる効果がある。
【００２０】
図７は、装着後の状態を示す後からの写真である。なお、磁気玉４の大きさは、６〜１０ｍｍ程度で良い。
図８は瞼用のリフトアップバンドの概略図である。
図９は瞼用のリフトアップバンドの概略図であるが、バンドに穴を開けており、磁気を持った球（ヘマタイト）が表面に見える状態を示している。
図１０は顔用のリフトアップバンドの概略図である。
【符号の説明】
【００２１】
１    瞼用のリフトアップバンド
２    顔用のリフトアップバンド
３    面ファスナー
４    磁気玉（ヘマタイト球）
５    穴(瞼用、顔用のリフトアップバンドに開けた穴)
【図１】
2017205262.tif 000003
【図２】
2017205262.tif 000004
【図３】
2017205262.tif 000005
【図４】
2017205262.tif 000006
【図５】
2017205262.tif 000007
【図６】
2017205262.tif 000008
【図７】
2017205262.tif 000009
【図８】
2017205262.tif 000010
【図９】
2017205262.tif 000011
【図１０】
2017205262.tif 000012